(57)【要約】【課題】キャビネットの組立工程の工数と部品点数の削減を図ることが可能な折り畳み式携帯端末機を提供する。【解決手段】本発明に係る折り畳み式携帯端末機においては、一方のキャビネット半体４の端部に、他方のキャビネット半体の円弧状駒片と接合されて円筒体を形成すべき駒部材８が取り付けられている。該キャビネット半体４と駒部材８との係合部には、一方のキャビネット半体４に駒部材８を拘持するための拘持構造が形成され、駒部材８は、前記拘持構造によって該キャビネット半体４に拘持されると共に、該キャビネット半体４と他方のキャビネット半体との間に挟持されて、キャビネットに固定されている。【選択図】      図１０
2004183741.tif 000002
【特許請求の範囲】
【請求項１】
一対のキャビネットがヒンジ機構を介して互いに開閉可能に連結して構成され、少なくとも何れか一方のキャビネットは、一対のキャビネット半体を接合して構成されている折り畳み式携帯端末機において、
前記一方のキャビネットを構成する何れか一方のキャビネット半体には、ヒンジ機構側の端部に、ヒンジ機構の回転軸と同軸となる円弧状駒片が突設されると共に、他方のキャビネット半体には、ヒンジ機構側の端部に、前記円弧状駒片と接合されてヒンジ機構の回転軸と同軸の円筒体を形成すべき駒部材が設置されており、該他方のキャビネット半体と駒部材の係合部には、該他方のキャビネット半体に駒部材を拘持するための拘持構造が形成され、駒部材は、前記拘持構造によって他方のキャビネット半体に拘持されると共に、両キャビネット半体の間に挟持されて、該キャビネットに固定されていることを特徴とする折り畳み式携帯端末機。
【請求項２】
前記駒部材（８）は、前記円弧状駒片（５３）と接合されるべき円弧状駒部（８０）と、該円弧状駒部（８０）に突設されて前記他方のキャビネット半体（４）に拘持されるべき接片部（８１）とから構成され、前記拘持構造は、該キャビネット半体（４）の底面に向けて挿入された駒部材（８）の接片部（８１）を該挿入方向とは直交する面上で移動不能に拘持すべき拘持部（４１）と、該拘持部（４１）と駒部材（８）の接片部（８１）との対向面に形成されて駒部材（８）の挿入によって互いに係合すべきフック部（４４）及び凹部（８２）とから構成されている請求項１に記載の折り畳み式携帯端末機。
【請求項３】
前記駒部材（８）が取り付けられているキャビネット半体（４）には、前記駒部材（８）の近傍位置に、着信を報知するためのスピーカ（９）を設置すべきスピーカ設置部（４２）が形成されると共に、スピーカ（９）の一端を係止すべき係止部（４８）が形成されており、スピーカ（９）は、前記係止部（４８）によって一端を係止されると同時に、他端を前記駒部材（８）の端面に押圧されて、該キャビネット半体（４）のスピーカ設置部（４２）に固定されている請求項２に記載の折り畳み式携帯端末機。
【請求項４】
前記スピーカ（９）と前記他方のキャビネット半体（４）のスピーカ設置部（４２）との間には、リング状の弾性部材（９３）が介在している請求項３に記載の折り畳み式携帯端末機。
【請求項５】
前記他方のキャビネット半体（４）には、回路基板（１５）が設置され、該回路基板（１５）の端面が前記駒部材（８）に圧接されている請求項１乃至請求項４の何れかに記載の折り畳み式携帯端末機。
【発明の詳細な説明】
【０００１】
【発明の属する技術分野】
本発明は、一対の扁平なキャビネットをヒンジ機構を介して互いに開閉可能に連結して構成される折り畳み式携帯端末機に関するものである。
【０００２】
【従来の技術】
従来、折り畳み式携帯電話機は、図１３に示す如く、操作側キャビネット（１０）と表示側キャビネット（２０）をヒンジ機構（３０）を介して互いに連結して構成されている（例えば特許文献１〜３参照）。
操作側キャビネット（１０）は、背面キャビネット半体（４０）と前面キャビネット半体（５０）を接合して構成され、該前面キャビネット半体（５０）に複数の操作キー（１０１）が配列されている。又、表示側キャビネット（２０）は、前面キャビネット半体（６０）と背面キャビネット半体（７０）を接合して構成され、該前面キャビネット半体（６０）にディスプレイ（１０２）が配備されている。
【０００３】
操作側キャビネット（１０）の前面キャビネット半体（５０）の端部には、左右一対となる第１リング状駒片（５６）と第２リング状駒片（５７）が突設され、表示側キャビネット（２０）の前面キャビネット半体（６０）には、左右一対となる第１リング状駒片（６６）と第２リング駒片（６７）が突設されている。
そして、操作側キャビネット（１０）の第１リング状駒片（５６）と表示側キャビネット（２０）の第１リング状駒片（６６）とが互いに連接されて、これら第１リング状駒片（５６）（６６）の内部に、ヒンジ機構（３０）を構成するヒンジユニット（図示省略）が嵌入している。又、操作側キャビネット（１０）の第２リング状駒片（５７）と表示側キャビネット（２０）の第２リング駒片（６７）とが互いに連接されて、これら第２リング状駒片（５７）（６７）の内部に、ヒンジ機構（３０）を構成するヒンジユニット（図示省略）が嵌入している。
【０００４】
操作側キャビネット（１０）の前面キャビネット半体（５０）には、第１リング状駒片（５６）と第２リング状駒片（５７）の間に、円弧状駒片（５８）が突設される一方、背面キャビネット半体（４０）には、前記円弧状駒片（５８）と接合されて円筒体を形成する駒部材（８７）が取り付けられている。又、表示側キャビネット（２０）の前面キャビネット半体（６０）には、円弧状駒片（６８）が突設されると共に、該円弧状駒片（６８）と接合されて円筒体を形成する駒部材（６９）が取り付けられている。
【０００５】
図１４及び図１５に示す如く、駒部材（８７）は、円弧状駒部（８８）に接片部（８９）を突設して形成されている。又、背面キャビネット半体（４０）の内面には、駒部材（８７）の接片部（８９）を設置するための平坦な接片設置面（４１３）が形成されており、該接片設置面（４１３）に駒部材（８７）が取り付けられている。
尚、キャビネット組立工程において、駒部材（８７）は、先ず接片部（８９）が背面キャビネット半体（４０）の接片設置面（４１３）に両面接着テープ（図示省略）によって貼着されて、該キャビネット半体（４０）に仮止めされた後、両キャビネット半体（４０）（５０）により狭持されて、キャビネット（１０）に確実に固定されることになる。
【０００６】
上記折り畳み式携帯電話機によれば、操作側キャビネット（１０）の背面キャビネット半体（４０）に別部材として駒部材（８７）が取り付けられているので、背面キャビネット半体（４０）と駒部材（８７）には互いに異なる着色を施すことが出来る。これによって、両キャビネット（１０）（２０）の前面キャビネット半体（５０）（６０）と背面キャビネット半体（４０）（７０）に異なる着色を施す場合において、操作側キャビネット（１０）の前面キャビネット半体（５０）の第１リング状駒片（５６）と第２リング状駒片（５７）に挟まれた円筒部を、前面キャビネット半体（５０）（６０）と同一色に着色することが出来る。
【０００７】
【特許文献１】
特開２０００−２５３１２４号公報
【特許文献２】
特開２００１−２９８５１６号公報
【特許文献３】
特開２００１−３２０４６４号公報
【０００８】
【発明が解決しようとする課題】
しかしながら、図１３に示す折り畳み式携帯電話機においては、両面接着テープによって駒部材をキャビネット半体に仮止めする構造が採用されているために、組立工程にて予め両面接着テープをキャビネット半体に貼り付けておく作業が必要であり、これによって工数が増加するばかりでなく、部品点数が増えてコスト高に繋がる問題があった。
そこで本発明の目的は、組立工程にて駒部材をキャビネット半体に仮止めするための両面接着テープ等の接着手段が不要であり、これによって工数と部品点数の削減を図ることが可能な折り畳み式携帯端末機を提供することである。
【０００９】
【課題を解決する為の手段】
本発明に係る折り畳み式携帯端末機は、一対のキャビネットをヒンジ機構を介して互いに開閉可能に連結して構成され、少なくとも何れか一方のキャビネットは、一対のキャビネット半体を接合して構成されている。
【００１０】
前記一方のキャビネットを構成する何れか一方のキャビネット半体には、ヒンジ機構側の端部に、ヒンジ機構の回転軸と同軸となる円弧状駒片が突設されると共に、他方のキャビネット半体には、ヒンジ機構側の端部に、前記円弧状駒片と接合されてヒンジ機構の回転軸と同軸の円筒体を形成すべき駒部材が設置されている。
該他方のキャビネット半体と駒部材の係合部には、該他方のキャビネット半体に駒部材を拘持するための拘持構造が形成され、駒部材は、前記拘持構造によって他方のキャビネット半体に拘持されると共に、両キャビネット半体の間に挟持されて、該キャビネットに固定されている。
【００１１】
上記本発明の折り畳み式携帯端末機の組立工程においては、先ず、駒部材をキャビネット半体の所定位置に係合させることにより、前記拘持構造が機能して駒部材がキャビネット半体に拘持され、この結果、駒部材は該キャビネット半体に仮止めされる。従って、駒部材の取り付け作業は容易であり、然も、取り付け後に駒部材がキャビネット半体から脱落する虞はない。その後、両キャビネット半体を互いに接合することによって、駒部材は両キャビネット半体に狭持されて、キャビネットに確実に固定される。
【００１２】
又、具体的構成において、前記駒部材（８）は、前記円弧状駒片（５３）と接合されるべき円弧状駒部（８０）と、該円弧状駒部（８０）に突設されて前記他方のキャビネット半体（４）に拘持されるべき接片部（８１）とから構成され、前記拘持構造は、該キャビネット半体（４）の底面に向けて挿入された駒部材（８）の接片部（８１）を該挿入方向とは直交する面上で移動不能に拘持すべき拘持部（４１）と、該拘持部（４１）と駒部材（８）の接片部（８１）との対向面に形成されて駒部材（８）の挿入によって互いに係合すべきフック部（４４）及び凹部（８２）とから構成されている。
【００１３】
該具体的構成においては、駒部材（８）の接片部（８１）をキャビネット半体（４）の拘持部（４１）の底面に向けて挿入することにより、該接片部（８１）は、キャビネット半体（４）の拘持部（４１）によって拘持され、挿入方向と直交する方向の移動が拘束されることになる。
また、駒部材（８）の接片部（８１）がキャビネット半体（４）の拘持部（４１）の最深部に達すると、例えば接片部（８１）に形成された凹部（８２）と拘持部（４１）に形成されたフック部（４４）とが互いに係合し、該係合によって、駒部材（８）のキャビネット半体（４）からの抜け出しが阻止されることになる。
この結果、携帯端末機の組立工程にて駒部材（８）がキャビネット半体（４）から脱落することはない。
【００１４】
又、具体的構成において、前記駒部材（８）が取り付けられているキャビネット半体（４）には、前記駒部材（８）の近傍位置に、着信を報知するためのスピーカ（９）を設置すべきスピーカ設置部（４２）が形成されると共に、スピーカ（９）の一端を係止すべき係止部（４８）が形成されており、スピーカ（９）は、前記係止部（４８）によって一端を係止されると同時に、他端を前記駒部材（８）の端面に押圧されて、該キャビネット半体（４）のスピーカ設置部（４２）に固定されている。
【００１５】
該具体的構成においては、スピーカ（９）をキャビネット半体（４）に取り付ける工程にて、先ずスピーカ（９）をキャビネット半体（４）のスピーカ設置部（４２）に設置する。これによって、スピーカ（９）の一端がキャビネット半体（４）の係止部（４８）に係止されることになる。次に、駒部材（８）を上述の如くキャビネット半体（４）に仮止めする。これによって、スピーカ（９）の他端が駒部材（８）の端面によって押圧され、キャビネット半体（４）の底面に押さえ付けられることになる。
この結果、スピーカ（９）はその両端をキャビネット半体（４）上に保持されて、スピーカ設置部（４２）に固定されることになる。
【００１６】
又、具体的構成において、前記スピーカ（９）と前記キャビネット半体（４）のスピーカ設置面（４２）との間には、リング状の弾性部材（９３）が介在している。
該具体的構成によれば、上述の如くスピーカ（９）をキャビネット半体（４）のスピーカ設置部（４２）に固定することにより、弾性部材（９３）がスピーカ設置面（４１）とスピーカ（９）によって挟圧され、厚さ方向に圧縮される。この結果、該弾性部材（４２）の弾性復帰力によってスピーカ（９）がキャビネット半体（４）の底面から離れる方向に付勢され、該スピーカ（９）によって駒部材（８）が押圧されることになる。これによって、例えば駒部材（８）の接片部（８１）に形成された凹部（８２）とキャビネット半体（４）の拘持部（４１）に形成されたフック部（４４）とが、互いに圧着して係合し、駒部材（８）とキャビネット半体（４）の間には遊びがなくなる。
この結果、駒部材（８）は、キャビネット半体（４）に対して確実に仮止めされることになる。
【００１７】
更に具体的な構成において、前記他方のキャビネット半体（４）には、回路基板（１５）が設置され、該回路基板（１５）の端面が前記駒部材（８）に圧接されている。
該具体的構成によれば、駒部材（８）が前記拘持構造によってキャビネット半体（４）に仮止めされた状態で、回路基板（１５）の端面によって前記挿入方向とは直交する方向に押圧され、キャビネット半体（４）の内面に押し付けられる。
この結果、駒部材（８）はキャビネット半体（４）に固定されることになる。
【００１８】
【発明の効果】
本発明に係る折り畳み式携帯端末機によれば、駒部材とキャビネット半体の係合部に形成した拘持構造によって駒部材がキャビネット半体に仮止めされるので、従来の両面接着テープ等の接着手段を用いた仮止め構造は不要であり、然も該拘持構造は、駒部材とキャビネット半体の係合部に一体成型によって形成することが出来るので、工数と部品点数の削減が図られる。
【００１９】
【発明の実施の形態】
以下、本発明を折り畳み式携帯電話機に実施した形態につき、図面に沿って具体的に説明する。
本発明に係る折り畳み式携帯電話機は、図１に示す如く、操作側キャビネット（１）と表示側キャビネット（２）をヒンジ機構（３）を介して互いに連結して構成されている。操作側キャビネット（１）は、背面キャビネット半体（４）と前面キャビネット半体（５）を接合して構成され、該操作側キャビネット（１）に複数の操作キー（１１）が配列されると共に、送話部（１２）が設けられている。又、表示側キャビネット（２）は、前面キャビネット半体（６）と背面キャビネット半体（７）を接合して構成され、該表示側キャビネット（２）にメインディスプレイ（２１）が配備されると共に、受話部（２２）が設けられている。
【００２０】
図２に示す如く、表示側キャビネット（２）の背面には、サブディスプレイ（２３）とＣＣＤカメラ（２４）が配備されている。
又、図３に示す如く、操作側キャビネット（１）の背面には、電池蓋（１４）が取り付けられており、該電池蓋（１４）のとヒンジ機構（３）との間にはスピーカ放音部（１３）が形成されている。
【００２１】
図４及び図５に示す如く、操作側キャビネット（１）の前面キャビネット半体（５）の端部には、左右一対となる第１リング状駒片（５１）と第２リング状駒片（５２）が突設され、表示側キャビネット（２）の背面キャビネット半体（７）の端部には、左右一対となる第１リング状駒片（７１）と第２リング状駒片（７２）が突設されている。ヒンジ機構（３）は、図５に示す如く、周知の構造を有するヒンジユニット（３２）の外側の端部に、カバー（３１）を取り付けて構成されている。
操作側キャビネット（１）の前面キャビネット半体（５）の端部には、第１リング状駒片（５１）と第２リング状駒片（５２）の間に円弧状駒片（５３）が突設される一方、背面キャビネット半体（４）には、前記円弧状駒片（５３）と接合されて円筒体を形成すべき駒部材（８）が取り付けられている（図８参照）。
【００２２】
図６に示す如く、駒部材（８）は、前面キャビネット半体（５）に形成された円弧状駒片（５３）と接合されるべき円弧状駒部（８０）と、該円弧状駒部（８０）に突設されて背面キャビネット半体（４）に拘持されるべき接片部（８１）とから構成され、該接片部（８１）には、図１１（ａ）に示す如く背面キャビネット半体（４）と対向する面に、背面キャビネット半体（４）の底面に向かって徐々に深さの大きくなる凹部（８２）が形成されている。
図６に示す如く、背面キャビネット半体（４）には、前記ヒンジ機構（３）側の端部の内面に、駒部材（８）の接片部（８１）を拘持すべき拘持部（４１）が形成されると共に、前記スピーカ放音部（１３）の内面に、着信報知用のスピーカ（９）を設置するためのスピーカ設置部（４２）が形成されている。該スピーカ設置部（４２）には、キャビネット外部からの塵や水の侵入を防ぐための防塵ネット（９４）が設置され、該防塵ネット（９４）上に、リング状の弾性部材（９３）を介してスピーカ（９）が設置される。
【００２３】
図７に示す如く、背面キャビネット半体（４）の拘持部（４１）は、背面キャビネット半体（４）の底面に向けて挿入された駒部材（８）の接片部（８１）を両側から拘持可能な一対のＬ字状の拘持片（４５）（４５）と、該駒部材（８）の接片部（８１）に密着可能な接片設置面（４３）とから構成され、該接片設置面（４３）には、背面キャビネット半体（４）の底面に向かって徐々に高さが大きくなり前記駒部材（８）の凹部（８２）に係合可能なフック部（４４）が突設されている。
背面キャビネット半体（４）のスピーカ設置部（４２）は、前記スピーカ（９）の放音面を支持すべきスピーカ設置面（４６）と、前記スピーカ（９）の外周面を包囲すべき円弧状の位置決めリブ（４７）とから構成されており、スピーカ設置面（４６）の中央部には、前記スピーカ（９）の放音面から発せられる音波を通過させるための複数の放音孔（４９）が開設されている。又、背面キャビネット半体（４）には、スピーカ設置部（４２）の拘持部（４１）とは反対側の端部に覆い被さって、スピーカ（９）の端部を係止すべき係止部が形成されている（図１０参照）。
尚、スピーカ設置部（４２）は、拘持部（４１）側の端部が拘持部（４１）の下方に入り込んで形成されている。
【００２４】
上記折り畳み式携帯電話機の組立においては、背面キャビネット半体（４）に駒部材（８）とスピーカ（９）とを取り付ける工程で、図１０に示す如く、先ず背面キャビネット半体（４）の底面にスピーカ設置面（４６）を覆って防塵ネット（９４）を貼着固定し、その上にリング状の弾性部材（９３）を設置した後、スピーカ設置部（４２）にスピーカ（９）を設置する。この際、図１１（ｂ）に示す如く、スピーカ（９）の端部を背面キャビネット（４）の係止部（４８）の下方へ挿入する。これによって、スピーカ（９）の端部が係止部（４８）によって係止されることになる。
【００２５】
次に、図８及び図９に示す如く、駒部材（８）の接片部（８１）を背面キャビネット半体（４）の拘持部（４１）へ挿入する。これによって、駒部材（８）は、該接片部（８１）が背面キャビネット半体（４）の拘持部（４１）の一対の拘持片（４５）（４５）によって拘持され、挿入方向と直交する方向の移動が拘束されることになる。
又、図１０及び図１１（ａ）に示す如く、駒部材（８）の接片部（８１）の先端が背面キャビネット半体（４）の拘持部（４１）の最深部に達すると、接片部（８１）に形成された凹部（８２）と接片設置面（４３）に突設されたフック部（４４）とが互いに係合し、該係合によって、駒部材（８）は背面キャビネット半体（４）からの抜け出しが阻止される。
【００２６】
この状態で、弾性部材（９３）は、背面キャビネット半体（４）のスピーカ設置面（４１）とスピーカ（９）によって挟圧され、厚さ方向に圧縮される。該弾性部材（９３）の弾性復帰力によってスピーカ（９）がキャビネット半体（４）の底面から離れる方向に付勢され、該スピーカ（９）によって駒部材（８）が押し上げられることになる。これによって、駒部材（８）の接片部（８１）に形成された凹部（８２）とキャビネット半体（４）の拘持部（４１）に形成されたフック部（４４）とが、互いに圧着して係合し、駒部材（８）と背面キャビネット半体（４）の間には遊びがなくなる。
【００２７】
又、スピーカ（９）についても、弾性部材（９３）の弾性復帰力によって、スピーカ（９）の両端部が背面キャビネット半体（４）の係止部（４８）と駒部材（８）の端面に押し付けられて、スピーカ（９）はスピーカ設置部（４２）に確実に固定されることになる。
【００２８】
その後、図１２に示す如く背面キャビネット半体（４）の回路基板（１５）をねじ止め固定する。これによって、駒部材（８）の接片部（８１）は、接片設置面（４３）とは反対側の面が回路基板（１５）の端面によって押圧され、背面キャビネット半体（４）の内面に押し付けられる。この結果、駒部材（８）は背面キャビネット半体（４）に固定されることになる。
最後に、図４に示す如く背面キャビネット半体（４）と前面キャビネット半体（５）とを互いに接合せしめて、操作側キャビネット（１）を組み立てる。これによって、駒部材（８）は、円弧状駒部（８０）が前面キャビネット半体（５）の円弧状駒片（５３）と連接された状態で、接片部（８１）の基端部が背面キャビネット半体（４）と前面キャビネット半体（５）の間に狭持され、操作側キャビネット（１）に確実に固定されることになる。
【００２９】
上記本発明の折り畳み式携帯電話機によれば、組立工程において駒部材（８）の接片部（８１）を背面キャビネット半体（４）の拘持部（４１）に挿入することによって、駒部材（８）が背面キャビネット半体（４）に仮止めされるので、背面キャビネット半体（４）に対する他の部材の組立作業中に駒部材（８）が背面キャビネット半体（４）から脱落する虞はない。従って、駒部材（８）を従来の如く両面接着テープで背面キャビネット半体（４）に接着固定する必要はない。又、拘持部（４１）及びフック部（４４）は背面キャビネット半体（４）に一体成型によって形成することが出来るので、駒部材（８）を背面キャビネット半体（４）に仮止めするための部品点数及び工数を削減することが出来る。
【００３０】
又、駒部材（８）が背面キャビネット半体（４）に設置されると同時に、スピーカ（９）は、該駒部材（８）によって背面キャビネット半体（４）に固定されるので、ビス等を用いた締結構造は不要である。従って、スピーカ（９）を背面キャビネット半体（４）に固定するための部品点数及び工数を削減することが出来る。
【００３１】
尚、本発明の各部構成は上記実施の形態に限らず、特許請求の範囲に記載の技術的範囲内で種々の変形が可能である。例えば、表示側キャビネット（２）を構成する背面キャビネット半体（７）と駒部材（７３）に対して、上記実施例の駒部材（８）に対する拘持構造を採用することも可能であり、これによって、上記実施例と同等の効果が得られる。又、駒部材（８）の接片部（８１）に形成された凹部（８５）を背面キャビネット半体（４）の拘持部（４１）の接片設置面（４３）に形成すると共に、該接片設置面（４３）に形成されたフック部（４６）を駒部材の接片部（８１）に形成する構成によっても、上記実施例と同等の効果が得られる。
【図面の簡単な説明】
【図１】本発明に係る折り畳み式携帯電話機の開いた状態の斜視図である。
【図２】該折り畳み式携帯電話機の閉じた状態の斜視図である。
【図３】同上状態を裏返して示す斜視図である。
【図４】該折り畳み式携帯電話機を後方から見た斜視図である。
【図５】キャビネットの分解斜視図である。
【図６】操作側キャビネットの背面キャビネット半体の内部構成を分解して示す斜視図である。
【図７】背面キャビネット半体から駒部材とスピーカとを取り外した状態の要部を示す斜視図である。
【図８】背面キャビネット半体に駒部材とスピーカとを取り付けた状態の要部を示す斜視図である。
【図９】同上状態の要部を示す平面図である。
【図１０】図９のＡ−Ａ線に沿う断面を示す図である。
【図１１】図１０の要部を示す拡大断面図である。
【図１２】操作側キャビネットの背面キャビネット半体に回路基板が取り付けられた状態の要部を示す斜視図である。
【図１３】従来の折り畳み式携帯電話機を後方から見た斜視図である。
【図１４】該折り畳み式携帯電話機のキャビネット半体に駒部材とスピーカとを取り付けた状態の要部を示す平面図である。
【図１５】図１４のＢ−Ｂ線に沿う断面を示す図である。
【符号の説明】
（１）  操作側キャビネット
（１５）  回路基板
（２）  表示側キャビネット
（３）  ヒンジ機構
（４）  背面キャビネット半体
（４１）  拘持部
（４２）  スピーカ設置部
（４３）  接片設置面
（４４）  フック部
（４５）  拘持片
（４６）  スピーカ設置面
（４８）  係止部
（４９）  放音孔
（５）  前面キャビネット半体
（６）  前面キャビネット半体
（７）  背面キャビネット半体
（８）  駒部材
（８０）  円弧状駒部
（８１）  接片部
（８２）  凹部
（９）  スピーカ
（９３）  弾性部材
（９４）  防塵シート
【図１】
2004183741.tif 000003
【図２】
2004183741.tif 000004
【図３】
2004183741.tif 000005
【図４】
2004183741.tif 000006
【図５】
2004183741.tif 000007
【図６】
2004183741.tif 000008
【図７】
2004183741.tif 000009
【図８】
2004183741.tif 000010
【図９】
2004183741.tif 000011
【図１０】
2004183741.tif 000012
【図１１】
2004183741.tif 000013
【図１２】
2004183741.tif 000014
【図１３】
2004183741.tif 000015
【図１４】
2004183741.tif 000016
【図１５】
2004183741.tif 000017